【手続補正書】
【提出日】平成18年11月27日(2006.11.27)
【手続補正１】
【補正対象書類名】特許請求の範囲
【補正対象項目名】請求項３
【補正方法】変更
【補正の内容】
【請求項３】
前記加熱体を保持すると共に前記金属フィルムをガイドするホルダーと、前記ホルダーを前記加圧部材に対して押圧する導電性のステーと、前記ステーに固定され前記金属フィルムと接触して前記金属フィルムと前記ステーとを電気的に導通する導通部材と、を有し、前記導通部材は一端側が前記ステーに固定されたバネ弾性を有する導電性部材とこの導電性部材の他端側に設けられて前記金属フィルムに前記導電性部材のバネ弾性で押圧されて接触する接点部材とを有し、前記金属フィルムが前記導通部材と前記ステーを介して電気的に接地されている、または前記金属フィルムが前記導通部材と前記ステーと前記過電流保護素子を介して電気的に接地されていることを特徴とする請求項１または２に記載の加熱装置。
【手続補正２】
【補正対象書類名】特許請求の範囲
【補正対象項目名】請求項４
【補正方法】変更
【補正の内容】
【請求項４】
前記金属フィルムの温度を検知する温度検知手段を有し、この温度検知手段は温度検知素子と、バネ弾性を有し、前記温度検知素子を支持させた温度検知素子支持部材とを有し、前記温度検知素子が絶縁物を介して電気的に絶縁状態で前記金属フィルムに前記温度検知素子支持部材のバネ弾性で押圧されて接触していることを特徴とする請求項１から３の何れか１つに記載の加熱装置。
【手続補正３】
【補正対象書類名】明細書
【補正対象項目名】０００２
【補正方法】変更
【補正の内容】
【０００２】
さらに詳しくは、電子写真、静電記録、磁気記録等の適宜の画像形成プロセス手段により、加熱溶融性の樹脂等よりなるトナーを用いて、記録媒体（紙、印刷紙、転写材シート、ＯＨＴシート、光沢紙、光沢フィルム等）の面に直接方式もしくは間接（転写）方式で目的の画像情報に対応した未定着トナー画像を形成担持させ、該未定着トナー画像を、該画像を担持している記録媒体の面上に固着画像として加熱定着処理する方式の定着装置として用いて好適な加熱装置および該加熱装置を定着装置として備えた画像形成装置に関するものである。
【手続補正４】
【補正対象書類名】明細書
【補正対象項目名】０００６
【補正方法】変更
【補正の内容】
【０００６】
そこで、前記問題点を解決するために、フィルム加熱方式の加熱装置が提案されている（例えば特許文献１参照）。この加熱装置は通常、薄肉の耐熱性フィルムと、このフィルムの一方面側に固定支持して配置された加熱体（ヒーター）と、他方面側にヒーターに対向して配置された、ヒーターに対してフィルムを介して被加熱部材である記録媒体を密着させる加圧ローラーとを有する。そして、これを定着装置として用いる場合には、前記フィルムを挟んでヒーターと加圧ローラーとの圧接で形成される圧接ニップ部に、トナー像を形成担持させた記録媒体を導入して通過させることにより、記録媒体の顕画像担持体面がフィルムを介してヒーターで加熱され、未定着画像に熱エネルギーを付与し、トナーが軟化、溶融して画像の加熱定着がなされる。
【手続補正５】
【補正対象書類名】明細書
【補正対象項目名】００１１
【補正方法】変更
【補正の内容】
【００１１】
しかしながら金属フィルムを用いた場合、搬送される被加熱材との摩擦帯電等により金属フィルムが帯電し、そのために、定着装置の場合にあっては被加熱材である記録媒体上の未定着トナーを飛散させたり、フィルム表面に吸着される等の現象からグロスムラや画質不良等を発生させる原因となっている。また、帯電した電荷があるタイミングで一気に放電されると信号系へのノイズとなる可能性がある。
【手続補正６】
【補正対象書類名】明細書
【補正対象項目名】００１２
【補正方法】変更
【補正の内容】
【００１２】
また、金属フィルムが接触摺動する加熱体に万一何らかの原因で破損を生じた場合においてその破損した加熱体側の通電発熱体側から金属フィルム側への漏電も考えられる。
【手続補正７】
【補正対象書類名】明細書
【補正対象項目名】００１７
【補正方法】変更
【補正の内容】
【００１７】
（３）前記加熱体を保持すると共に前記金属フィルムをガイドするホルダーと、前記ホルダーを前記加圧部材に対して押圧する導電性のステーと、前記ステーに固定され前記金属フィルムと接触して前記金属フィルムと前記ステーとを電気的に導通する導通部材と、を有し、前記導通部材は一端側が前記ステーに固定されたバネ弾性を有する導電性部材とこの導電性部材の他端側に設けられて前記金属フィルムに前記導電性部材のバネ弾性で押圧されて接触する接点部材とを有し、前記金属フィルムが前記導通部材と前記ステーを介して電気的に接地されている、または前記金属フィルムが前記導通部材と前記ステーと前記過電流保護素子を介して電気的に接地されていることを特徴とする（１）または（２）に記載の加熱装置。
【手続補正８】
【補正対象書類名】明細書
【補正対象項目名】００１８
【補正方法】変更
【補正の内容】
【００１８】
（４）前記金属フィルムの温度を検知する温度検知手段を有し、この温度検知手段は温度検知素子と、バネ弾性を有し、前記温度検知素子を支持させた温度検知素子支持部材とを有し、前記温度検知素子が絶縁物を介して電気的に絶縁状態で前記金属フィルムに前記温度検知素子支持部材のバネ弾性で押圧されて接触していることを特徴とする（１）から（３）の何れか１つに記載の加熱装置。
【手続補正９】
【補正対象書類名】明細書
【補正対象項目名】００２７
【補正方法】変更
【補正の内容】
【００２７】
また、金属フィルムを過電流保護素子を介して電気的に接地する構成により、金属フィルムが接触摺動する加熱体に万一何らかの原因で破損を生じた場合においてその破損した加熱体側の通電発熱体側から金属フィルム側へ漏電しても、金属フィルムと接地間に設けられた過電流保護素子の作用により過電流は遮断される。
【手続補正１０】
【補正対象書類名】明細書
【補正対象項目名】００４０
【補正方法】変更
【補正の内容】
【００４０】
加圧ローラー１０５は、例えば、ステンレス製の芯金の周りに、射出成形により、厚み約３ｍｍのシリコーンゴム層を形成し、その上に厚み約４０μｍのＰＦＡ樹脂チューブを被覆してなる弾性ローラーである。この加圧ローラー１０５は芯金の両端部を板金製の装置本体フレーム１１１の奥側と手前側の側板１１１ａ・１１１ｂ間にベアリング１１５を介して回転自由に軸受保持させて配設してある。
【手続補正１１】
【補正対象書類名】明細書
【補正対象項目名】００５５
【補正方法】変更
【補正の内容】
【００５５】
また、金属フィルム１０２を過電流保護素子としてのヒューズ１１６を介して電気的に接地する構成により、金属フィルム１０２が接触摺動するヒーター１０１に万一何らかの原因で破損を生じた場合においてその破損したヒーター１０１側の通電発熱体ｂ側から金属フィルム側へ交流電流が漏電しても、金属フィルム１０２と接地間に設けたヒューズ１１６はあらかじめ設定された電流値以上の電流を感知して回路を遮断し、過電流がＧＮＤに流れる。
【手続補正１２】
【補正対象書類名】明細書
【補正対象項目名】００６３
【補正方法】変更
【補正の内容】
【００６３】
Ｓ・・シート、１ａ，１ｂ，１ｃ，１ｄ・・プロセスステーション、２・・感光体ドラム、３・・帯電ローラー、７・・中間転写ベルト、８・・駆動ローラー、９・・従動ローラー、１０・・ベルト張架ローラー、１１・・ベルト張架ローラー、１２・・２次転写ローラー、１３・・高圧電源、１４ａ，１４ｂ，１４ｃ，１４ｄ・・転写ローラー、１５・・給紙カセット、１６・・給紙ローラー、１７・・レジストローラー対、１８・・定着装置、１９・・排出トレイ、１０１・・ヒーター、１０２・・金属フィルム、１０３・・ステー、１０５・・加圧ローラー、１０６・・排紙下ローラー、１０７・・排紙上ローラー、１０８・・導通部材、１０９・・温度検知手段（サーミスタ）、１１６・・ヒューズ
【手続補正１３】
【補正対象書類名】図面
【補正対象項目名】図６
【補正方法】変更
【補正の内容】
【図６】
2005166299.tif 000001